【手続補正書】
【提出日】平成29年4月25日(2017.4.25)
【手続補正１】
【補正対象書類名】明細書
【補正対象項目名】００６８
【補正方法】変更
【補正の内容】
【００６８】
スリット領域を含む実施形態においては、工程ｅ）において、締結タブが引っ張られ、伸張可能なストラップ部分又は襞折り（該当する場合）が、スリットの側辺縁が離れ、下にある内側層が露出して、ループ材料が完全に平らになる程度まで伸張したときに、締結タブを締結するのが好ましいことがある。スリット領域を含む実施形態において、デバイスを適切に適用した後、張力が低下した場合（足の体積の減少（例えば浮腫の縮小の結果として）、又は材料疲労などの何らかの理由により）、スリットの側辺縁が互いに近づき、下にある内側層、及び／又は該当する場合は内側層に提供されている標識が見えなくなるか、該当する場合は部分的にしか見えなくなった場合に、このことがユーザー又は介護者に対し、デバイスを締結し直しかつ締め直す必要があることを示す指標を提供することが理解されよう。この指標は、ループ材料が、再び張力低下によるループの再形成を開始するのを観察することにより、強化される。ただし、ユーザー及び／又は介護者にとって、ループ材料が浮き上がり始めたかどうかが不確かな場合であっても、スリット領域の下にある内側層及び／又はそこにある指標（該当する場合）が見えなくなった場合、又は部分的にしか見えなくなった場合（該当する場合）、圧迫デバイスを締め直す時期であるという指標が得られる。本発明の実施態様の一部を以下の項目［１］−［６２］に記載する。
［１］
ユーザーの肢部に圧迫を適用するための圧迫デバイスであって、該圧迫デバイスは、該ユーザーの肢部の一部を実質的に覆うためのスリーブを含み、該スリーブが、外側表面、内側表面、上辺縁、下辺縁及び２つの側辺縁を有し、該第１側辺縁から該第２側辺縁への横断方向において、該スリーブが第１側辺領域、中央領域及び第２側辺領域を有し、該スリーブの該第２側辺領域が、該スリーブの該上辺縁と該下辺縁との間に一連の複数のリングを備えており、各リングは、該スリーブの実質的に該横断方向に該スリーブと該リングとの間に延在するストラップによって着脱可能に又は固定的に取り付けられ、該ストラップの少なくとも一部分が、少なくとも該横断方向に伸張可能であり、該伸張可能部分が、少なくとも該横断方向に弾性を有する材料を含み、かつ、該伸張可能部分が非伸張状態のとき、外側に隆起する材料のループが外面にあり、また使用中で該スリーブの該横断方向に張力がかかっている状態のとき、該伸張可能部分は該横断方向に伸張し、該ループが平らになるように、構成及び配置されており、
該デバイスが、複数のストリップ形の機械的締結タブを更に含み、各リングに単一タブが提供され、各タブは、近位端部分と、内側タブ部分によって接続されている遠位端部分とを含み、該近位端部分が、該スリーブの該第１側辺領域に着脱可能に又は固定的に取り付けられ、これによって該タブは、リングの反対側に配置され、かつ該スリーブの実質的に該横断方向に延在し、該遠位端部分は、該スリーブの該中央部分から反対向きに配置され、各タブが、該スリーブの該外側表面に向かって配置される第１主表面と、該スリーブの該外側表面から反対向きに配置される第２主表面とを有し、ここにおいて該タブの該遠位端部分にある該第２主表面は、機械的締結システムの一部分を含み、また該タブの該近位端部分にある該第２主表面が、該機械的締結システムの相補的部分を含み、該タブ及び該リングが、使用中に、該タブが該リングを通過し、折り返して、該スリーブの該第１側辺縁が該リングに向かって引っ張られ、締結されて、これにより該スリーブが該ユーザーの該肢部の周りに締め付けられて拘束されるように、構成及び配置される、圧迫デバイス。
［２］
前記スリーブの少なくとも前記中央領域が、幅１ｃｍ当たり１０Ｎの荷重下で前記スリーブの少なくとも前記横断方向に０％超、最大６０％の最大伸びを有する短伸縮性材料を含む、項目１に記載の圧迫デバイス。
［３］
前記ループ材料の弾性率と、前記ループ材料の厚さとの積が、前記短伸縮性材料の弾性率と、前記短伸縮性材料の厚さとの積の、少なくとも９０％であり、特に、前記ループ材料の弾性率と、前記ループ材料の厚さとの積が、前記短伸縮性材料の弾性率と、前記短伸縮性材料の厚さとの積以上である、項目２に記載の圧迫デバイス。
［４］
前記ストラップの前記伸張可能な部分が、外側層材料と内側層材料の２層を含み、該内側層材料の弾性率と、該内側層材料の厚さとの積が、該外側層材料の弾性率と、該外側層材料の厚さとの積よりも小さく、該外側層材料が前記ループ材料であり、該内側層材料が該外側層材料に固定されており、これによって、前記ストラップの伸張可能部分が非伸張状態のときには該内側層の上方に該外側層材料のループが提供され、該ループは、使用中で張力がかかり、これによって前記ストラップの伸張可能な部分が前記横断方向に伸張されているときには、平らになり得る、項目１〜３のいずれかに記載の圧迫デバイス。
［５］
前記ストラップの前記伸張可能な部分が、外側層材料と内側層材料の２層を含み、該内側層材料の弾性率と、該内側層材料の厚さとの積が、該外側層材料の弾性率と、該外側層材料の厚さとの積よりも小さく、該内側層材料及び外側層材料が、
該伸張可能ストラップ部分が非伸張状態のときに、該内側層の上方に少なくとも１つの該外側層材料のループを提供し、該ループは、使用中で張力がかかり、これによって前記ストラップの伸張可能な部分が前記横断方向に伸張されているときには、平らになり得、
該内側層の上方に少なくとも１つの該外側層材料の領域を提供し、該外側層材料は、前記スリーブの上辺縁及び下辺縁に対して実質的に前記長さ方向に延在するスリットを含み（スリット領域）、これによって、該伸張可能ストラップ部分が非伸張状態のとき、該少なくとも１つのスリット領域における該外側層材料が実質的に平らになり、該スリットの側辺縁が互いに近づくか又は重なり合い、一方、使用中に張力がかかった状態で、これにより該ストラップの伸張可能部分が前記横断方向に伸張しているとき、該スリットの該側辺縁が離間して、下にある内側層を露出するよう、構成及び配置される、項目１〜４のいずれかに記載の圧迫デバイス。
［６］
前記少なくとも１つの外側層材料ループと、前記少なくとも１つのスリット領域が、前記スリーブの該上辺縁と下辺縁に対して長さ方向に並んで提供され、特に、少なくとも２つの外側層材料ループが提供され、該少なくとも２つの外側層材料ループと、該少なくとも１つのスリット領域が交互に、前記スリーブの該上辺縁と下辺縁に対して長さ方向に並んで提供される、項目５に記載の圧迫デバイス。
［７］
前記内側層が、前記スリットの前記側辺縁が離間したときに見えるようになるしるしを備えており、かつ／又は、前記内側層が、前記外側層の色とは違う色を備えている、項目５又は６に記載の圧迫デバイス。
［８］
前記内側層材料の弾性率と前記内側層材料の厚さとの積が、前記外側層材料の弾性率と前記外側層材料の厚さとの積の１／２以下、特に少なくとも１／４以下である、項目４〜７のいずれかに記載の圧迫デバイス。
［９］
前記内側層材料及び／又は前記外側層材料が、少なくとも前記横断方向に弾性を有する、項目４〜８のいずれかに記載の圧迫デバイス。
［１０］
前記ストラップの前記伸張可能部分が非伸張状態のとき、前記スリーブの前記横断方向に対する幅が少なくとも０．１ｃｍ、具体的には少なくとも０．５ｃｍである、項目１〜９のいずれかに記載の圧迫デバイス。
［１１］
前記ストラップの前記部分が非伸張状態のとき、前記スリーブの前記横断方向に対する幅が最大４ｃｍ、具体的には最大３ｃｍである、項目１〜１０のいずれかに記載の圧迫デバイス。
［１２］
前記ストラップの前記伸張可能部分が、前記ループ又は該当する場合は複数のループがちょうど完全に平らになった時点の伸張状態のとき、前記スリーブの前記横断方向に対する幅が少なくとも１ｃｍである、項目１〜１１のいずれかに記載の圧迫デバイス。
［１３］
前記ストラップの前記部分が、前記ループ又は該当する場合は複数のループがちょうど完全に平らになった時点の伸張状態のとき、前記スリーブの前記横断方向に対する幅が最大８ｃｍ、具体的には最大６ｃｍである、項目１〜１２のいずれかに記載の圧迫デバイス。
［１４］
前記各ストラップが、少なくとも１ｃｍ、具体的には少なくとも２ｃｍ、より具体的には少なくとも３ｃｍの、前記スリーブの前記横断方向に対する高さを有し、かつ／又は、前記各ストラップが、最大１０ｃｍ、具体的には最大８ｃｍ、より具体的には最大６ｃｍの、前記スリーブの前記横断方向に対する高さを有する、項目１〜１３のいずれかに記載の圧迫デバイス。
［１５］
前記複数のリング又はストラップであって該リング又はストラップの間の隙間を含むものがそれぞれ、前記スリーブの前記上辺縁から前記下辺縁までの高さの少なくとも７０％に対応する高さにわたって延在し、かつ／又は、前記リング又はストラップの間の隙間の高さが、０．１ｍｍ〜７ｃｍ（両端の値を含む）、具体的には０．３ｍｍ〜３ｃｍ（両端の値を含む）、より具体的には０．５ｍｍ〜２ｃｍの範囲である、項目１〜１４のいずれかに記載の圧迫デバイス。
［１６］
ユーザーの肢部に使用されているとき、前記スリーブが中心軸（Ａ）を中心に配置され、該中心軸が面（Ｐ）内にあり、前記複数のリングが第１軸（Ｒ）に沿って延在し、ここにおいて、該第１軸（Ｒ）の、該中心軸（Ａ）を含む該面（Ｐ）への投射に対して、該第１軸が、該中心軸に対して平行な配置、又はほぼ平行な配置である、項目１〜１５のいずれかに記載の圧迫デバイス。
［１７］
前記ストラップの前記部分が非伸張状態のときに、前記リングが、前記第２側辺縁に隣接又は離間して、前記第２側辺縁部分から反対向きに、前記スリーブの前記第２側辺縁に沿って配置され、特に、前記各リングが前記スリーブの前記第２側辺縁近くに側辺縁を有し、前記リングの該側辺縁が、前記スリーブの前記第２側辺縁に隣接するか、又は、前記第２側辺縁部分から最大４ｃｍ、特に最大３ｃｍ離れて配置される、項目１〜１６のいずれかに記載の圧迫デバイス。
［１８］
前記ストラップの前記部分が非伸張状態のときに、前記リングが、前記中央領域に向かって前記第２側辺縁から離間して配置され、特に、該各リングが、前記スリーブの前記中央領域から離れた側辺縁を有し、前記リングの該側辺縁が、前記第２側辺縁から３〜２５ｃｍ（両端の値を含む）の距離で離間している、項目１〜１６のいずれかに記載の圧迫デバイス。
［１９］
前記リングが前記第２側辺領域の前記外側表面に着脱可能に取り付けられ、前記各ストラップが近位端部分を更に含み、前記ストラップの該近位端部分の内側表面が、フック、ステム、及び／又はカップ形締結具（ストラップ締結具）を備えており、前記スリーブの前記第２側辺領域の前記外側表面が、該ストラップ締結具が係合するよう適合された構造を有するか、又はそのような構造を備えている、項目１８に記載の圧迫デバイス。
［２０］
ユーザーの肢部の一部を実質的に覆うためのスリーブを含み、該スリーブが外側表面、内側表面、上辺縁、下辺縁及び２つの側辺縁を有し、該第１側辺縁から該第２側辺縁への横断方向において、該スリーブが第１側辺領域、中央領域及び第２側辺領域を有し、該スリーブの該第２側辺領域が、該スリーブの該上辺縁と該下辺縁との間に一連の複数の鳩目又は複数のリングを備えており、該スリーブが、該スリーブの該上辺縁と該下辺縁との間に実質的に長さ方向に延在する細長い伸張可能な襞折りを含み、該襞折りは、前記スリーブの少なくとも前記横断方向に伸張可能であり、該伸張可能な襞折りが、少なくとも横断方向に弾性を有する材料を含み、かつ、該伸張可能な襞折りが非伸張状態のとき、外側に隆起する材料のループが外面にあり、また使用中で該スリーブの横断方向に張力がかかっている状態のとき、該伸張可能な襞折りは横断方向に伸張し、該ループが平らになるように、構成及び配置され、
該デバイスが、複数のストリップ形の機械的締結タブを含み、各鳩目又はリング（該当する場合）に単一タブが提供され、各タブは、近位端部分と、内側タブ部分によって接続されている遠位端部分とを更に含み、該近位端部分が、該スリーブの該第１側辺領域に着脱可能に又は固定的に取り付けられ、これによって該タブは、鳩目又はリング（該当する場合）の反対側に配置され、かつ該スリーブの実質的に前記横断方向に延在し、該遠位端部分は、該スリーブの該中央部分から反対向きに配置され、各タブが、該スリーブの該外側表面に向かって配置される第１主表面と、該スリーブの該外側表面から反対向きに配置される第２主表面とを有し、該タブの該遠位端部分にある該第２主表面が、機械的締結システムの一部分を含み、また該タブの該近位端部分にある該第２主表面は、該機械的締結システムの相補的部分を含み、該タブ及び該鳩目又はリング（該当する場合）が、使用中に、該タブが該鳩目又はリング（該当する場合）を通過し、折り返して、該スリーブの該第１側辺縁が該鳩目又はリング（該当する場合）に向かって引っ張られ、締結されて、これにより該スリーブが該ユーザーの該肢部の周りに締め付けられて拘束されるように、構成及び配置される、ユーザーの肢部に圧迫を適用するための圧迫デバイス。
［２１］
前記スリーブの少なくとも前記中央領域が、幅１ｃｍ当たり１０Ｎの荷重下で前記スリーブの少なくとも前記横断方向に０％超、最大６０％の最大伸びを有する短伸縮性材料を含む、項目２０に記載の圧迫デバイス。
［２２］
前記ループ材料の弾性率と、前記ループ材料の厚さとの積が、前記短伸縮性材料の弾性率と、前記短伸縮性材料の厚さとの積の、少なくとも９０％であり、特に、前記ループ材料の弾性率と、前記ループ材料の厚さとの積が、前記短伸縮性材料の弾性率と、前記短伸縮性材料の厚さとの積以上である、項目２１に記載の圧迫デバイス。
［２３］
前記襞折りが、少なくとも、前記スリーブの隣接する材料に一体化された部品であるか、又は、前記スリーブ内への挿入物として提供される、項目２０〜２２のいずれかに記載の圧迫デバイス。
［２４］
前記襞折りが、外側層材料と内側層材料の２層を含み、該内側層材料の弾性率と、該内側層材料の厚さとの積が、該外側層材料の弾性率と、該外側層材料の厚さとの積よりも小さく、該外側層材料が前記ループ材料であり、かつ該内側層材料が該外側層材料に固定されており、これによって、該襞折りが非伸張状態のときには該内側層の上方に該外側層材料のループが提供され、該ループは、使用中で張力がかかり、これによって該襞折りが横断方向に伸張されているときには、平らになり得る、項目２０〜２３のいずれかに記載の圧迫デバイス。
［２５］
前記襞折りが、外側層材料と内側層材料の２層を含み、該内側層材料の弾性率と、該内側層材料の厚さとの積が、該外側層材料の弾性率と、該外側層材料の厚さとの積よりも小さく、該内側層材料及び外側層材料が、
該襞折りが非伸張状態のときに、該内側層の上方に少なくとも１つの該外側層材料のループを提供し、該ループは、使用中に張力がかかり、これによって該襞折りが横断方向に伸張されると平らになることができ、かつ、
該内側層の上方に少なくとも１つの該外側層材料の領域を提供し、該外側層材料は、前記スリーブの上辺縁及び下辺縁に対して実質的に長さ方向に延在するスリットを含み（スリット領域）、これによって、該襞折りが非伸張状態のとき、該少なくとも１つのスリット領域における該外側層材料が実質的に平らになり、該スリットの側辺縁が互いに近づくか又は重なり合い、一方、使用中に張力がかかった状態で、これにより該襞折りが横断方向に伸張しているとき、該スリットの該側辺縁が離間して、下にある内側層を露出するよう、構成及び配置される、項目２０〜２３のいずれかに記載の圧迫デバイス。
［２６］
前記少なくとも１つの外側層材料ループと、前記少なくとも１つのスリット領域が、前記スリーブの該上辺縁と下辺縁に対して長さ方向に並んで提供され、特に、少なくとも２つの外側層材料ループが提供され、該少なくとも２つの外側層材料ループと、該少なくとも１つのスリット領域が交互に、スリーブの該上辺縁と下辺縁に対して長さ方向に並んで提供される、項目２５に記載の圧迫デバイス。
［２７］
前記内側層が、前記スリットの前記側辺縁が離間したときに見えるようになるしるしを備えており、かつ／又は、該内側層が、前記外側層の色とは違う色を備えている、項目２５又は２６に記載の圧迫デバイス。
［２８］
前記内側層材料の弾性率と該内側層材料の厚さとの積が、前記外側層材料の弾性率と該外側層材料の厚さとの積の少なくとも１／２以下、特に少なくとも１／４以下である、項目２４〜２７のいずれかに記載の圧迫デバイス。
［２９］
前記内側層材料及び／又は前記外側層材料が、少なくとも前記横断方向に弾性を有する、項目２４〜２８のいずれかに記載の圧迫デバイス。
［３０］
前記襞折りの前記外側層が、前記スリーブの隣接する材料と一体化し、該襞折りの前記内側層は、該スリーブの前記内側層に固定された別個のストリップ材料であるか、あるいは、該２層襞折りが、該スリーブの挿入物として提供される、項目２４〜２９のいずれかに記載の圧迫デバイス。
［３１］
前記襞折りが、前記締結タブと鳩目又はリング（該当する場合）との間の、前記スリーブ内に提供され、特に、前記襞折りが、前記スリーブの前記中央部分内又は前記第２側辺部分内に提供され、より具体的には、該鳩目又はリング（該当する場合）近くの前記スリーブの前記中央部分内に提供され、あるいは、該鳩目又はリング（該当する場合）近く又は隣接する前記第２側辺部分内に、前記中央部分に向けて提供される、項目２０〜３０のいずれかに記載の圧迫デバイス。
［３２］
前記襞折りが非伸張状態のとき、前記スリーブの前記横断方向に対する幅が少なくとも０．１ｃｍ、具体的には少なくとも０．５ｃｍである、項目２０〜３１のいずれかに記載の圧迫デバイス。
［３３］
前記襞折りが非伸張状態のとき、前記スリーブの前記横断方向に対する幅が最大４ｃｍ、具体的には最大３ｃｍである、項目２０〜３２のいずれかに記載の圧迫デバイス。
［３４］
前記襞折りが、前記ループ又は該当する場合は複数のループがちょうど完全に平らになった時点の伸張状態のとき、前記スリーブの前記横断方向に対する幅が少なくとも１ｃｍである、項目２０〜３３のいずれかに記載の圧迫デバイス。
［３５］
前記襞折りが、前記ループ又は該当する場合は複数のループがちょうど完全に平らになった時点の伸張状態のとき、前記スリーブの前記横断方向に対する幅が最大８ｃｍ、特に最大６ｃｍである、項目２０〜３４のいずれかに記載の圧迫デバイス。
［３６］
前記ユーザーの前記肢部に使用しているとき、前記スリーブが中心軸（Ａ）を中心に配置され、該中心軸は面（Ｐ）内にあり、前記襞折りは第２軸（Ｇ）に沿って延在し、該中心軸（Ａ）を含む該面（Ｐ）上の該第２軸の投影に対して、該第２軸（Ｇ）は、該中心軸に対して平行な配置であるか、又は最大２５°の鋭角（β）を形成して傾いている、項目２０〜３５のいずれかに記載の圧迫デバイス。
［３７］
前記襞折りが、前記スリーブの前記上辺縁から下辺縁までの高さの、７０％〜１００％に対応する高さにわたって延在する、項目２０〜３６のいずれかに記載の圧迫デバイス。
［３８］
前記複数の鳩目又はリング（該当する場合）（鳩目又はリングそれぞれの間の隙間を含む）が、前記スリーブの前記上辺縁から下辺縁までの高さの少なくとも７０％に対応する高さにわたって延在する、項目２０〜３７のいずれかに記載の圧迫デバイス。
［３９］
前記鳩目及びリング（該当する場合）の間の前記隙間の高さが、０．１ｍｍ〜７ｃｍ（両端の値を含む）の範囲、具体的には０．３ｍｍ〜３ｃｍ（両端の値を含む）の範囲、より具体的には０．５ｍｍ〜２ｃｍの範囲である、項目２０〜３８のいずれかに記載の圧迫デバイス。
［４０］
前記ユーザーの前記肢部に使用されているとき、前記スリーブが中心軸（Ａ）を中心に配置され、該中心軸が面（Ｐ）内にあり、前記複数の鳩目又はリング（該当する場合）が第３軸（Ｅ）に沿って延在し、該第３軸（Ｅ）の、該中心軸（Ａ）を含む該面（Ｐ）への投射に対して、該第３軸が、該中心軸に対して平行な配置、又はほぼ平行な配置である、項目２０〜２９のいずれかに記載の圧迫デバイス。
［４１］
前記圧迫デバイスがリングを含み、該各リングが、前記スリーブと該リングとの間に延在するストラップによって取り付けられ、該リングが該スリーブの前記第２側辺縁に沿い、該側辺縁に隣接するか又は離間して、該第２側辺縁から反対向きに配置される、項目２０〜４０のいずれかに記載の圧迫デバイス。
［４２］
前記各リングが前記スリーブの前記第２側辺縁近くに側辺縁を有し、前記リングの該側辺縁が、前記スリーブの第２側辺縁に隣接して配置されるか、あるいは、最大４ｃｍ、特に最大３ｃｍの距離で該第２側辺縁から離間して配置される、項目４１に記載の圧迫デバイス。
［４３］
前記各ストラップが、少なくとも１ｃｍ、具体的には少なくとも２ｃｍ、より具体的には少なくとも３ｃｍの、前記スリーブの前記横断方向に対する高さを有する、項目４１又は４２に記載の圧迫デバイス。
［４４］
前記各ストラップが、最大１０ｃｍ、具体的には最大８ｃｍ、より具体的には最大６ｃｍの、前記スリーブの前記横断方向に対する高さを有する、項目４１〜４３のいずれかに記載の圧迫デバイス。
［４５］
前記ストラップの間の前記隙間の高さが、０．３ｍｍ〜７ｃｍ（両端の値を含む）の範囲、具体的には０．３ｍｍ〜３ｃｍ（両端の値を含む）の範囲、より具体的には０．５ｍｍ〜２ｃｍの範囲である、項目４１〜４４のいずれかに記載の圧迫デバイス。
［４６］
前記スリーブ及び前記締結タブが、使用中に、前記締結タブを前記鳩目又はリング（該当する場合）に通し、折り返して締結したときに、前記第１側辺縁が前記スリーブの前記第２側辺縁に向かって引っ張られるが、前記スリーブの２つの前記側辺縁は重なり合わないように、構成及び配列される、項目１〜１８又は項目２０〜４５のいずれかに記載の圧迫デバイス。
［４７］
前記デバイスが舌部を更に含み、ここにおいて、使用中に、該舌部が前記スリーブの前記第１及び第２側縁辺に隣接しかつこれらに沿って延在するよう概ね中央に配置され、これによって、該舌部が、前記ユーザーと、前記スリーブの前記第１及び第２側辺縁の間に画定される開口部との間に配置され、これによって、該舌部が前記鳩目又はリング（該当する場合）の下に敷かれるよう、該舌部が前記スリーブに対して構成及び配置される、項目１〜１８又は項目２０〜４６のいずれかに記載の圧迫デバイス。
［４８］
前記舌部が、実質的にその幅及び長さにわたって延在する単一の補剛材か、又は長さ方向に延在する１本以上の細長い補剛材を含む、項目４７に記載の圧迫デバイス。
［４９］
前記舌部がフォームを含み、具体的には形状記憶フォーム、より具体的には高密度形状記憶フォームを含む、項目４７又は４８に記載の圧迫デバイス。
［５０］
前記舌部がフォーム層を含み、具体的には０．５ｍｍ〜１０ｍｍ（両端の値を含む）の厚さを有するフォーム層、より具体的には２ｍｍ〜６ｍｍ（両端の値を含む）の厚さを有するフォーム層を含む、項目４９に記載の圧迫デバイス。
［５１］
前記各締結タブが、少なくとも６ｃｍの、前記スリーブの前記横断方向に対する幅を有し、かつ／又は、前記各締結タブが、最大２５ｃｍの、前記スリーブの前記横断方向に対する幅を有する、項目１〜５０のいずれかに記載の圧迫デバイス。
［５２］
前記締結タブが、前記第１側辺縁を横切って延在し、特に、該締結タブは、第１側辺縁から少なくとも２ｃｍ外側に延出する、項目１〜５１のいずれかに記載の圧迫デバイス。
［５３］
前記各締結タブが、少なくとも１ｃｍ、具体的には少なくとも２ｃｍ、より具体的には少なくとも３ｃｍの、前記スリーブの前記横断方向に対する高さを有し、かつ／又は、該各締結タブが、最大１０ｃｍ、具体的には最大１０ｃｍ、より具体的には最大６ｃｍの、前記スリーブの前記横断方向に対する高さを有する、項目１〜５２のいずれかに記載の圧迫デバイス。
［５４］
前記締結タブの前記内側タブ部分の前記第２主表面が、前記機械的締結システムの前記相補的部分を含む、項目１〜５３のいずれかに記載の圧迫デバイス。
［５５］
前記締結タブの前記遠位端部分の前記第２主表面が、フック、ステム、及び／又はカップ形締結具（タブ締結具）を備えており、前記締結タブの前記近位端部分の前記第２主表面が、前記締結具が係合するよう適合された構造を有するか、又はこれを備えている、項目１〜５４のいずれかに記載の圧迫デバイス。
［５６］
前記締結タブの前記内側タブ部分の前記第２主表面が、前記締結具が係合するよう適合された構造を有するか、又はこれを備えている、項目５４に従属する項目５５に記載の圧迫デバイス。
［５７］
前記締結タブの前記近位端部分の前記第１主表面が、フック、ステム、及び／又はカップ形締結具（第２タブ締結具）を備えており、前記スリーブの前記第１側辺領域の前記外側表面が、該第２タブ締結具が係合するよう適合された構造を有するか、又はこれを備えており、前記締結タブの前記近位端部分の前記第１主表面が前記スリーブの前記第１側辺領域の前記外側表面に、着脱可能に取り付けられている、項目１〜５６のいずれかに記載の圧迫デバイス。
［５８］
前記締結タブの前記遠位端部分の前記第２主表面の前記タブ締結具が、第１タブ締結具であり、前記スリーブの前記第１側辺領域の前記外側表面が、該第１タブ締結具及び前記第２タブ締結具が係合するよう適合された構造を有するか、又はこれを備えている、項目５５又は５６のいずれかに従属する項目５７に記載の圧迫デバイス。
［５９］
前記スリーブの前記第１側辺領域がトリミング可能である、項目５７又は５８に記載の圧迫デバイス。
［６０］
前記スリーブの前記第１側辺領域、前記中央領域及び前記第２側辺領域が、前記第２タブ締結具及びストラップ締結具が係合するよう適合された構造を有するか、又はこれを備えている、項目１９に直接的又は間接的に従属する項目５７〜５９のいずれかに記載の圧迫デバイス。
［６１］
前記スリーブの前記第１及び第２側辺領域がトリミング可能である、項目６０に記載の圧迫デバイス。
［６２］
ユーザーの肢部に、項目１〜６１のいずれかに記載の圧迫デバイスを適用する方法であって、該方法が、
ａ）該ユーザーの該肢部の周囲に前記スリーブを配置する工程と、
ｂ）前記各締結タブを、相対する鳩目又はリング（該当する場合）に通す工程と、
ｃ）前記各締結タブを折り返す工程と、
ｄ）前記締結タブを引っ張ることにより、前記スリーブの前記第１側辺縁が、該鳩目又はリング（該当する場合）に向かって引っ張られる工程と、
ｅ）前記締結タブが引っ張られ、前記ストラップの前記伸張可能な部分又は襞折り（該当する場合）が、前記ループ材料が完全に平らになる程度まで伸張したときに、前記締結タブを締結する工程と、を含む方法。
【手続補正２】
【補正対象書類名】特許請求の範囲
【補正対象項目名】全文
【補正方法】変更
【補正の内容】
【特許請求の範囲】
【請求項１】
ユーザーの肢部に圧迫を適用するための圧迫デバイスであって、該圧迫デバイスは、該ユーザーの肢部の一部を実質的に覆うためのスリーブを含み、該スリーブが、外側表面、内側表面、上辺縁、下辺縁及び２つの側辺縁を有し、該第１側辺縁から該第２側辺縁への横断方向において、該スリーブが第１側辺領域、中央領域及び第２側辺領域を有し、該スリーブの該第２側辺領域が、該スリーブの該上辺縁と該下辺縁との間に一連の複数のリングを備えており、各リングは、該スリーブの実質的に該横断方向に該スリーブと該リングとの間に延在するストラップによって着脱可能に又は固定的に取り付けられ、該ストラップの少なくとも一部分が、少なくとも該横断方向に伸張可能であり、該伸張可能部分が、少なくとも該横断方向に弾性を有する材料を含み、かつ、該伸張可能部分が非伸張状態のとき、外側に隆起する材料のループが外面にあり、また使用中で該スリーブの該横断方向に張力がかかっている状態のとき、該伸張可能部分は該横断方向に伸張し、該ループが平らになるように、構成及び配置されており、
該デバイスが、複数のストリップ形の機械的締結タブを更に含み、各リングに単一タブが提供され、各タブは、近位端部分と、内側タブ部分によって接続されている遠位端部分とを含み、該近位端部分が、該スリーブの該第１側辺領域に着脱可能に又は固定的に取り付けられ、これによって該タブは、リングの反対側に配置され、かつ該スリーブの実質的に該横断方向に延在し、該遠位端部分は、該スリーブの該中央部分から反対向きに配置され、各タブが、該スリーブの該外側表面に向かって配置される第１主表面と、該スリーブの該外側表面から反対向きに配置される第２主表面とを有し、ここにおいて該タブの該遠位端部分にある該第２主表面は、機械的締結システムの一部分を含み、また該タブの該近位端部分にある該第２主表面が、該機械的締結システムの相補的部分を含み、該タブ及び該リングが、使用中に、該タブが該リングを通過し、折り返して、該スリーブの該第１側辺縁が該リングに向かって引っ張られ、締結されて、これにより該スリーブが該ユーザーの該肢部の周りに締め付けられて拘束されるように、構成及び配置される、圧迫デバイス。
【請求項２】
前記ストラップの前記伸張可能な部分が、外側層材料と内側層材料の２層を含み、該内側層材料の弾性率と、該内側層材料の厚さとの積が、該外側層材料の弾性率と、該外側層材料の厚さとの積よりも小さく、該外側層材料が前記ループ材料であり、該内側層材料が該外側層材料に固定されており、これによって、前記ストラップの伸張可能部分が非伸張状態のときには該内側層の上方に該外側層材料のループが提供され、該ループは、使用中で張力がかかり、これによって前記ストラップの伸張可能な部分が前記横断方向に伸張されているときには、平らになり得る、請求項１に記載の圧迫デバイス。
【請求項３】
前記ストラップの前記伸張可能な部分が、外側層材料と内側層材料の２層を含み、該内側層材料の弾性率と、該内側層材料の厚さとの積が、該外側層材料の弾性率と、該外側層材料の厚さとの積よりも小さく、該内側層材料及び外側層材料が、
該伸張可能ストラップ部分が非伸張状態のときに、該内側層の上方に少なくとも１つの該外側層材料のループを提供し、該ループは、使用中で張力がかかり、これによって前記ストラップの伸張可能な部分が前記横断方向に伸張されているときには、平らになり得、
該内側層の上方に少なくとも１つの該外側層材料の領域を提供し、該外側層材料は、前記スリーブの上辺縁及び下辺縁に対して実質的に前記長さ方向に延在するスリットを含み（スリット領域）、これによって、該伸張可能ストラップ部分が非伸張状態のとき、該少なくとも１つのスリット領域における該外側層材料が実質的に平らになり、該スリットの側辺縁が互いに近づくか又は重なり合い、一方、使用中に張力がかかった状態で、これにより該ストラップの伸張可能部分が前記横断方向に伸張しているとき、該スリットの該側辺縁が離間して、下にある内側層を露出するよう、構成及び配置される、請求項１又は２に記載の圧迫デバイス。
【請求項４】
前記内側層が、前記スリットの前記側辺縁が離間したときに見えるようになるしるしを備えており、かつ／又は、前記内側層が、前記外側層の色とは違う色を備えている、請求項３に記載の圧迫デバイス。
【請求項５】
ユーザーの肢部の一部を実質的に覆うためのスリーブを含み、該スリーブが外側表面、内側表面、上辺縁、下辺縁及び２つの側辺縁を有し、該第１側辺縁から該第２側辺縁への横断方向において、該スリーブが第１側辺領域、中央領域及び第２側辺領域を有し、該スリーブの該第２側辺領域が、該スリーブの該上辺縁と該下辺縁との間に一連の複数の鳩目又は複数のリングを備えており、該スリーブが、該スリーブの該上辺縁と該下辺縁との間に実質的に長さ方向に延在する細長い伸張可能な襞折りを含み、該襞折りは、前記スリーブの少なくとも前記横断方向に伸張可能であり、該伸張可能な襞折りが、少なくとも横断方向に弾性を有する材料を含み、かつ、該伸張可能な襞折りが非伸張状態のとき、外側に隆起する材料のループが外面にあり、また使用中で該スリーブの横断方向に張力がかかっている状態のとき、該伸張可能な襞折りは横断方向に伸張し、該ループが平らになるように、構成及び配置され、
該デバイスが、複数のストリップ形の機械的締結タブを含み、各鳩目又はリング（該当する場合）に単一タブが提供され、各タブは、近位端部分と、内側タブ部分によって接続されている遠位端部分とを更に含み、該近位端部分が、該スリーブの該第１側辺領域に着脱可能に又は固定的に取り付けられ、これによって該タブは、鳩目又はリング（該当する場合）の反対側に配置され、かつ該スリーブの実質的に前記横断方向に延在し、該遠位端部分は、該スリーブの該中央部分から反対向きに配置され、各タブが、該スリーブの該外側表面に向かって配置される第１主表面と、該スリーブの該外側表面から反対向きに配置される第２主表面とを有し、該タブの該遠位端部分にある該第２主表面が、機械的締結システムの一部分を含み、また該タブの該近位端部分にある該第２主表面は、該機械的締結システムの相補的部分を含み、該タブ及び該鳩目又はリング（該当する場合）が、使用中に、該タブが該鳩目又はリング（該当する場合）を通過し、折り返して、該スリーブの該第１側辺縁が該鳩目又はリング（該当する場合）に向かって引っ張られ、締結されて、これにより該スリーブが該ユーザーの該肢部の周りに締め付けられて拘束されるように、構成及び配置される、ユーザーの肢部に圧迫を適用するための圧迫デバイス。
【請求項６】
前記襞折りが、外側層材料と内側層材料の２層を含み、該内側層材料の弾性率と、該内側層材料の厚さとの積が、該外側層材料の弾性率と、該外側層材料の厚さとの積よりも小さく、該外側層材料が前記ループ材料であり、かつ該内側層材料が該外側層材料に固定されており、これによって、該襞折りが非伸張状態のときには該内側層の上方に該外側層材料のループが提供され、該ループは、使用中で張力がかかり、これによって該襞折りが横断方向に伸張されているときには、平らになり得る、請求項５に記載の圧迫デバイス。
【請求項７】
前記内側層が、前記スリットの前記側辺縁が離間したときに見えるようになるしるしを備えており、かつ／又は、該内側層が、前記外側層の色とは違う色を備えている、請求項６に記載の圧迫デバイス。